【手続補正書】
【提出日】平成17年10月12日(2005.10.12)
【手続補正１】
【補正対象書類名】明細書
【補正対象項目名】特許請求の範囲
【補正方法】変更
【補正の内容】
【特許請求の範囲】
【請求項１】  被検体の心臓内における異常伝導経路の治療効果を評価するための方法において、
プローブを心臓における治療部位に配置する工程と、
前記部位の近傍における心内膜内の第１および第２の点において、前記プローブにより、それぞれ第１および第２の電気的信号を感知する工程と、
前記プローブにより感知された第１および第２信号の相関計測値を決定して、前記部位の近傍における異常伝導経路を検出する工程とから成ることを特徴とする方法。
【請求項２】  前記相関計測値を決定する工程が時間−領域相関演算を実行する工程から成る請求項１に記載の方法。
【請求項３】  前記相関計測値を決定する工程が位相ずれを計算して相関値を与える工程から成る請求項１に記載の方法。
【請求項４】  前記相関計測値を決定する工程が前記第１および第２信号の周波数スペクトルを計算する工程から成る請求項１に記載の方法。
【請求項５】  前記電気的信号を感知する工程が二極式電位図信号を受信する工程から成る請求項１に記載の方法。
【請求項６】  さらに、前記プローブを用いて前記部位における伝導経路を中断する工程から成る請求項１乃至５のいずれかに記載の方法。
【請求項７】  前記電気的信号を感知する工程が前記伝導経路を中断する工程の前に前記それぞれの第１および第２信号を感知する工程から成る請求項６に記載の方法。
【請求項８】  前記電気的信号を感知する工程が前記伝導経路を中断する工程の後に前記それぞれの第１および第２信号を感知する工程から成る請求項６に記載の方法。
【請求項９】  前記電気的信号を感知する工程が前記伝導経路を中断する工程の前にそれぞれの第１および第２の中断前信号を感知する工程と、当該伝導経路を中断する工程の後にそれぞれの第１および第２の中断前信号を感知する工程と、前記第１および第２の中断前信号の相関計測値と前記第１および第２の中断後信号の相関計測値とを比較する工程から成る請求項６に記載の方法。
【請求項１０】  前記相関計測値を比較する工程が、
前記第１および第２の中断前信号を用いて第１の相関計測値を決定する工程と、
前記第１および第２の中断後信号を用いて第２の相関計測値を決定する工程と、
前記第１および第２の相関計測値の差を計算して前記治療の効果を決定する工程とから成る請求項９に記載の方法。
【請求項１１】  前記伝導経路を中断する工程が前記プローブと部位との間にエネルギーを伝達する工程から成る請求項６に記載の方法。
【請求項１２】  前記プローブと部位との間にエネルギーを伝達する工程が当該部位を切除する工程から成る請求項１１に記載の方法。
【請求項１３】  前記部位を切除する工程が当該部位の近傍においてほぼ線形の領域を切除する工程から成る請求項１２に記載の方法。
【請求項１４】  前記部位を切除する工程が当該部位の近傍において複雑な形状を有する領域を切除する工程から成る請求項１２に記載の方法。
【請求項１５】  前記プローブと部位との間にエネルギーを伝達する工程が当該部位を冷却する工程から成る請求項１１に記載の方法。
【請求項１６】  さらに、前記信号の相関に関して前記部位を冷却する工程の効果を決定する工程と、当該効果に応じて当該部位を切除する工程とから成る請求項１５に記載の方法。
【請求項１７】  被検体の心臓内における電気的活性度をマッピングするための方法において、
プローブを心臓における複数の部位に配置する工程と、
前記複数の部位の各々の近傍における心内膜内の第１および第２の点において、前記プローブにより、それぞれ第１および第２の電気的信号を感知する工程と、
前記プローブにより感知された信号を処理して、前記複数の部位の各々における第１および第２の信号の相関計測値を決定する工程と、
前記相関計測値のマップを作成する工程とから成ることを特徴とする方法。
【請求項１８】  前記マップを作成する工程が異常伝導経路の位置を示すマップを作成する工程から成る請求項１７に記載の方法。
【請求項１９】  さらに、心臓における部位の損傷部を切除する工程と、
前記マップを作成する工程の後に、組織において切除された損傷部の近傍にプローブを配置する工程と、
切除処理後の損傷部の近傍における少なくとも２個の点から、前記プローブにより、電気的信号を受信する工程と、
前記プローブにより受信された信号を処理して前記切除後の損傷部の近傍における点の信号間の相関計測値を決定する工程と、
切除後に決定された前記計測値を切除前に決定された計測値と比較して前記治療の効果を決定する工程とから成る請求項１７に記載の方法。
【請求項２０】  興奮性組織の切除処理の効果を決定するための方法において、
前記組織内において切除処理された損傷部の近傍にプローブを配置する工程と、
前記近傍における少なくとも２点から、前記プローブにより、電気的信号を受信する工程と、
前記プローブにより受信された信号を処理して前記各点における信号間の相関計測値を決定する工程とから成ることを特徴とする方法。
【請求項２１】  さらに、前記相関計測値と、前記組織を切除する前に少なくとも２個の点から受信した信号を処理することによって決定された前の相関計測値とを比較する工程から成る請求項２０に記載の方法。
【請求項２２】  前記少なくとも２点から信号を受信する工程が複数の対の点から信号を受信する工程から成り、前記信号を処理する工程が切除処理の効果を示す組織の相関マップを作成する工程から成る請求項２０に記載の方法。
【請求項２３】  前記電位図信号を受信する工程が二極式電位図信号を受信する工程から成る請求項１７乃至２２のいずれかに記載の方法。
【請求項２４】  前記信号を処理して相関測定値を決定する工程が時間−領域相関演算を実行する工程から成る請求項１７乃至２２のいずれかに記載の方法。
【請求項２５】    前記信号を処理して相関測定値を決定する工程が位相ずれを計算して相関値を与える工程から成る請求項１７乃至２２のいずれかに記載の方法。
【請求項２６】  前記信号を処理する工程が当該信号の周波数スペクトルを計算する工程から成る請求項１７乃至２２のいずれかに記載の方法。
【請求項２７】  被検体の心臓内に挿入するための細長いプローブから成り、当該プローブが先端部と基端部を有しており、かつ、当該プローブの先端部の近くに心臓組織内における信号を感知するための少なくとも２個の感知電極を備えており、さらに、
信号アナライザ回路から成り、当該アナライザ回路が前記プローブから信号を受信して当該信号の相関計測値を計算することを特徴とする心臓内装置。
【請求項２８】  前記感知電極が二極式電極から成る請求項２７に記載の装置。
【請求項２９】  前記プローブが位置センサーを含み、当該センサーが外部基準フレームに基づく前記プローブの位置に応じて信号を発生する請求項２７に記載の装置。
【請求項３０】  前記プローブが心臓内の複数の位置に配置され、前記信号アナライザ回路が当該複数の位置において決定された相関計測値のマップを作成する請求項２７に記載の装置。
【請求項３１】  前記プローブが当該プローブの先端部の近くに組織切除装置を備えている請求項２７乃至３０のいずれかに記載の装置。
【請求項３２】  前記切除装置が切除電極から成り、前記少なくとも２個の感知電極の１個が切除電極でもある請求項３１に記載の装置。
【請求項３３】  前記切除装置が前記プローブの先端部の外部表面上に配置され、当該外部表面を概ね被覆している請求項３１に記載の装置。
【請求項３４】  前記切除装置および電極を前記プローブの半径方向の外部表面に沿って配置し、１個の電極が前記切除装置に対して軸方向における基端部側に配置され、他の１個の電極が当該切除装置に対して軸方向における先端部側に配置されている請求項３１に記載の装置。
【請求項３５】  さらに、前記切除装置の近傍の心臓組織を冷却するためのクーラーから成る請求項３１に記載の装置。
【請求項３６】  さらに、前記切除装置に熱的に連結されて心臓組織を冷却するクーラーから成る請求項３１に記載の装置。
【請求項３７】  被検体の心臓内における異常伝導経路の治療効果を決定するための装置において、
被検体の心臓内に挿入するための細長いプローブから成り、当該プローブが先端部と基端部を有しており、かつ、当該プローブの先端部の近くに心臓組織内における活性化信号を感知するための少なくとも２個の感知電極を備えており、さらに、
信号アナライザ回路から成り、当該アナライザ回路が前記プローブから活性化信号を受信し、それらの相関計測値を決定し、治療前に決定された第１の相関計測値を治療後に決定された第２の相関計測値と比較することを特徴とする装置。
【請求項３８】  前記感知電極が二極式電極から成る請求項３７に記載の装置。
【請求項３９】  前記プローブが当該プローブの先端部近傍に位置センサーを備えており、当該センサーが外部基準フレームに基づく前記プローブの位置に応じて信号を発生する請求項３７に記載の装置。
【請求項４０】  前記プローブが心臓内の複数の位置に配置され、前記信号アナライザ回路が当該複数の位置において決定された相関計測値のマップを作成する請求項３７に記載の装置。